(57)【要約】【課題】山林などに埋め込まれた標識体の探索を極めて容易にする、標識体からの信号の特定の信号要素のレベルを提示する装置を提供する。【解決手段】地盤に一部または全部が埋め込まれて設置された標識体３からの信号の特定の信号要素のレベルを提示する装置２は、標識体３に応答を求める信号を発信し、標識体３から応答信号を受信すると、この信号の特定の信号要素のレベルを継続的に測定して、その信号要素のレベルを提示する。【選択図】図１
2014041138.tif 000002
【特許請求の範囲】
【請求項１】
地盤に一部が埋め込まれて設置された標識体からの信号の特定の信号要素のレベルを提示する方法であって、前記特定の信号要素は電波強度であり、この電波強度は、標識体からの信号を受信する位置における標識体に対する距離および受信する方向の標識体に対する向きに依存するものであり、
標識体に応答を求める信号を発信し、
標識体から応答信号を受信すると、この信号の電波強度レベルを継続的に測定して、前記標識体までの距離および方向の予測を可能にするように、その電波強度レベルを提示する、特定の信号要素のレベル提示方法。
【請求項２】
請求項１において、前記標識体が標示杭である、特定の信号要素のレベル提示方法。
【請求項３】
請求項１または２において、前記電波強度レベルの提示は、指定された標識体についてのみ行う、特定の信号要素のレベル提示方法。
【請求項４】
地盤に一部が埋め込まれて設置された標識体からの信号の特定の信号要素のレベルを提示する装置であって、前記特定の信号要素は電波強度であり、この電波強度は、標識体からの信号を受信する位置における標識体に対する距離および受信する方向の標識体に対する向きに依存するものであり、
標識体に応答を求める信号を発信する発信部と、
標識体からの応答信号を受信する受信部と、
前記受信部で受信した信号の電波強度レベルを継続的に測定する測定部と、
前記測定部で測定した電波強度レベルであって、前記標識体までの距離および方向の予測を可能にする電波強度レベルを提示する提示部とを備えた、特定の信号要素のレベル提示装置。
【請求項５】
請求項４において、前記標識体が標示杭である、特定の信号要素のレベル提示装置。
【請求項６】
請求項４または５において、前記電波強度レベルの提示は、指定された標識体についてのみ行う、特定の信号要素のレベル提示装置。
【請求項７】
標識体を探索するための、請求項４から６のいずれか一項に記載の特定の信号要素のレベル提示装置の使用方法であって、
前記発信部を水平方向に向けた状態で前記装置を３６０度回転させて、電波の大きさが最大になる向きをチェックして、この向きが探索対象の標識体に向いていると予測する、特定の信号要素のレベル提示装置の使用方法。
【請求項８】
請求項７において、さらに、
前記発信部を電波の大きさが最大になる向きのままにして、前記装置を前進させることにより、探索対象の標識体に近づく、特定の信号要素のレベル提示装置の使用方法。
【請求項９】
地盤に一部が埋め込まれて設置された１つ以上の標識体と、１つ以上の標識体のうちの特定の標識体からの信号の特定の信号要素のレベルを提示するレベル提示装置とから構成される、探索可能な標識体のシステムであって、前記特定の信号要素は電波強度であり、この電波強度は、標識体からの信号を受信する位置の標識体に対する距離および受信する方向の標識体に対する向きに依存するものであり、
前記レベル提示装置は、
探索対象の標識体の指定を受け付け、
指定された標識体の識別子を含む信号であって、この指定された標識体に応答を求める信号を発信し、
前記１つ以上の標識体は、それぞれ、
前記レベル提示装置からの信号を受信すると、信号に含まれる標識体の識別子がその標識体自体の識別子であるか否か判定して、一致する場合は応答信号を発信し、
前記レベル提示装置は、
標識体からの応答信号を受信すると、この信号の電波強度レベルを継続的に測定して、前記標識体までの距離および方向の予測を可能にするように、その電波強度レベルを提示する、探索可能な標識体のシステム。
【発明の詳細な説明】
【技術分野】
【０００１】
本発明は、地盤に一部または全部が埋め込まれて設置された標示杭のような標識体から
の信号の特定の信号要素のレベルを提示する装置に関する。ここで、前記特定の信号要素
は、標識体からの信号を受信する位置の標識体に対する距離および受信する方向の標識体
に対する向き、ならびにその標識体の埋設状態に依存するものである。
【背景技術】
【０００２】
土地の境界などを標示する標識体、例えば標示杭は、山林を含む様々な土地において一
部が埋め込まれて設置される。これらの標示杭は地籍調査における指標となり、杭を設置
した位置は、山林を熟知する者のみが知っている場合が多い。しかし、このように熟知す
る者は高齢化しており、将来には杭の設置場所を知っている者がいなくなることも予想さ
れる。また、杭の設置箇所が地籍測量図に示されていても山林の場合は特に尺度が小さい
ため、杭の概ねの場所を特定できても、正確な場所は特定しにくい。さらに、杭の設置か
ら地籍調査までの長期間に自然現象や災害などによって杭が草木や土砂などによって隠さ
れたり埋もれたりしてしまうことがあり、杭を探し出すには膨大な時間と手間を要する。
特に、標識杭の場合、作業員がたとえ足で踏んでも杭の存在に気付きにくいため、探し出
すには極めて膨大な時間と手間を要する。
【０００３】
これに対して、探索機が電波を放射して、これに応答した杭の送受信回路からの信号を
受信することで、杭を探索する装置も存在する（特許文献１参照）。
【先行技術文献】
【特許文献】
【０００４】
【特許文献１】特開２０００−０１８９４７号公報
【発明の概要】
【発明が解決しようとする課題】
【０００５】
しかしながら、上記特許文献１に記載された探索機は、送受信回路に記憶されている位
置情報を受信して、これに基づいて杭を探索するものである。したがって、地震や地滑り
などによって、記憶された位置情報と実際の位置にずれが生じている場合、送受信回路に
記憶されている位置情報は正確ではないため、杭を探し出す作業はやはり困難である。
【０００６】
そこで、本発明は、標識体からの信号の特定の信号要素のレベルを提示する装置であっ
て、山林などに埋め込まれた標識体の探索を極めて容易にする装置を提供することを目的
とする。ここで、前記特定の信号要素は、標識体からの信号を受信する位置における標識
体に対する距離および受信する方向の標識体に対する向き、ならびにその標識体の埋設状
態に依存するものである。
【課題を解決するための手段】
【０００７】
上記目的を達成するために、本発明にかかる、標識体からの信号の特定の信号要素のレ
ベルを提示する方法および装置は、標識体に応答を求める信号を発信し、標識体から応答
信号を受信すると、この信号の前記特定の信号要素のレベルを継続的に測定して、その信
号要素のレベルを提示する。
【０００８】
本発明によれば、標識体からの信号のうち、特定の信号要素のレベル、つまり標識体か
らの信号を受信する位置の標識体に対する距離および受信する方向の標識体に対する向き
、ならびにその標識体の埋設状態に依存する要素のレベルを測定して提示するので、標識
体を探索する者にとっては、このレベルを利用することで探索が極めて容易になる。具体
的には、標識体の探索者が本方法を実施する装置または本レベル提示装置を手に持って、
標識体が設置されている近傍において、まず回転して提示されるレベルが大きくなる方向
を特定すれば、標識体からの信号受信方向に、本装置の向きを合致させることができる。
そして、標識体の探索者が前方に歩いて提示されるレベルが大きくなるようにすれば、標
識体に近づくことができ、標識体を見つけ出すことができる。一方、このように標識体の
探索者が歩き回っても提示されるレベルが十分に大きくならず、標識体が見えなければ、
標識体は土砂などに埋もれている可能性が高い。この場合、標識体の探索者は提示される
レベルが最大の位置において、その地表下を掘り起こして埋もれている標識体を見つけ出
すことができる。
【０００９】
前記標識体は、好ましくは、標示杭である。
【００１０】
前記特定の信号要素は、好ましくは、電波の強度である。
【００１１】
好ましい実施形態によれば、前記特定の信号要素のレベルの提示は、指定された標識体
についてのみ行う。この構成によれば、複数の標識体が近傍に存在する場合に、探索対象
の標識体を１つに絞ることができる。
【００１２】
本発明にかかる、探索可能な標識体のシステムは、地盤に一部または全部が埋め込まれ
て設置された１つ以上の標識体と、１つ以上の標識体のうちの特定の標識体からの信号の
特定の信号要素のレベルを提示するレベル提示装置とから構成され、前記レベル提示装置
は、探索対象の標識体の指定を受け付け、指定された標識体の識別子を含む信号であって
、この指定された標識体に応答を求める信号を発信し、前記１つ以上の標識体は、それぞ
れ、前記レベル提示装置からの信号を受信すると、信号に含まれる標識体の識別子がその
標識体自体の識別子であるか否か判定して、一致する場合は応答信号を発信し、前記レベ
ル提示装置は、標識体からの応答信号を受信すると、この信号の前記特定の信号要素のレ
ベルを継続的に測定して、その信号要素のレベルを提示する。
【００１３】
本発明によれば、指定された標識体のみがレベル提示装置に応答信号を発信するので、
多数の標識体が提示装置近傍に存在する場合であっても、応答信号は１つのみである。し
たがって、提示装置が多数の標識体から応答信号を受信しないため、提示装置の負荷が過
大にならずにすむ。
【図面の簡単な説明】
【００１４】
【図１】本発明の一実施形態にかかる探索可能な標識体のシステムの概念図である。
【発明を実施するための形態】
【００１５】
本発明の実施形態を図面に基づいて説明する。
図１に、本発明の一実施形態にかかる、探索可能な標識体のシステム１の概念を示す。
本実施形態において、標識体は、標示杭、例えば境界杭（以下、単に「杭」とする。）で
ある。システム１は、杭からの電波強度（特定の信号要素）レベルの提示装置２およびこ
の提示装置２と後述する通信が可能な１つ以上の杭３とから構成され、作業者Ｗが、杭電
波強度レベル提示装置２を保持して、この提示内容に基づいて特定の杭３を探索すること
ができる。ここで、「杭からの電波強度レベル」は、杭電波強度レベル提示装置２と杭の
距離（杭からの信号を受信する位置における杭に対する距離）および杭電波強度レベル提
示装置２のアンテナ方向の杭に対する向き（受信する方向の杭に対する向き）、ならびに
その杭の埋設状態に依存する。提示装置２では、これら程度を表示、音および／または振
動などによる出力によって提示するものである。
【００１６】
まず、前提として、例えば、山林において土地の境界を標示するために、多数の杭３が
それぞれ所定の位置に埋め込まれている。この状態で年月が経過してから、その土地につ
いて地籍調査が行われる場合があり、杭３がそれぞれ探索される。この際、作業者つまり
杭を探索する者Ｗは、提示装置２を携帯して、探索対象の杭３が設置されていると思われ
るエリアまたはその近傍に出向いて、後述するように、その対象の杭３を見つけるために
探索を行う。
【００１７】
次に、提示装置２および杭３の構成について説明する。
提示装置２は、人間の掌に納まるサイズ（図１では誇張している）の例えば直方体形状
で中空の本体２１を有し、その内側には基板からなるホスト側通信装置（提示装置用通信
装置）２２が取り付けられている。提示装置用通信装置２２は、ＣＰＵ（図示せず）、メ
モリ（図示せず）、および通信モジュール（図示せず）を搭載する。本体２１の外側には
、提示装置用通信装置２２に接続された通信用アンテナ２３が取り付けられている。この
通信用アンテナ２３には、アンテナ２３が受信した信号の大きさを測定する電波レベル測
定器２３ａが設けられている。
【００１８】
提示装置用通信装置２２の通信モジュールは、各杭３との通信に必要な機能を実行でき
るものであり、この通信モジュールによって処理されるデータは、通信アンテナ２３を介
して各杭３の後述する通信装置と送受信される。
【００１９】
提示装置２は、また、作業者Ｗとのインタフェースとして、表示部２４、テンキーのよ
うな入力キーからなる入力部２５、スピーカ２６、および本体２１の内部に設けられたバ
イブレータユニット（図示せず）を有する。
【００２０】
杭３は、地盤にほぼ垂直に打ち込まれるプラスティック杭であり、杭本体３ａを有し、
その頭部は防護用キャップ３１によって覆われている。杭３の杭本体３ａは、その内部空
間において、基板からなる端末側通信装置（杭用通信装置）３２が取り付けられている。
杭用通信装置３２も、提示装置用通信装置２２と同様に、ＣＰＵ（図示せず）、メモリ（
図示せず）、および通信モジュール（図示せず）を搭載する。通信用のアンテナは、この
通信モジュールに内蔵されている。
【００２１】
次に、本システム１の運用、すなわち杭探索の作業について説明する。
探索対象の杭３が設置されていると思われるエリアまたはその近傍に出向いた作業者Ｗ
は、持参している地図と周囲の地形や目印などから、作業者自身の位置を把握する。そし
て持参した測量図や杭についての情報を記憶しているパーソナルコンピュータなどから、
探索対象の杭３の位置を取得する。このように自己の位置と探索対象の杭の位置を取得で
きるが、これらの情報のみで杭を探索しようとしても、測量図の尺度は小さいため杭３の
位置を厳密に特定するのは難しい。また、杭が土砂や草木に埋もれている場合は、探索が
極めて困難である。しかし、作業者Ｗは、これら地図などの情報に基づいて探索対象の杭
３にある程度近づくことができる。そこで、作業者Ｗは、このように探索対象の杭３にあ
る程度近づいてから、探索対象の杭３のＩＤを手に持っている提示装置２の入力部２５か
ら入力する。このＩＤの入力を契機として提示装置２は、探索対象の杭３からの電波強度
レベルの検知を開始する。
【００２２】
まず、探索対象の杭３からの電波強度レベルの検知は、提示装置用通信装置２２が、入
力されたＩＤを保持するメッセージを通信モジュール（図示せず）および通信用アンテナ
２３を介して送信する。このように提示装置２から送出されたメッセージは、通信可能範
囲内に存在する全ての杭３によって受信される。このメッセージを受信すると、各杭３で
はメモリ（図示せず）に記憶されたその杭３自体のＩＤと受信したメッセージに保持され
ているＩＤとを比較する。ある杭３の杭用通信装置３２が、比較結果が同一であると判断
すれば、ＩＤを保持するメッセージからなる所定の信号を、所定の時間間隔で所定期間送
出する。
【００２３】
探索対象とする杭ＩＤを有するメッセージの信号が提示装置２の通信用アンテナ２３に
到達すると、提示装置用通信装置２２では、電波レベル測定器２３ａが、アンテナ２３に
よって受信された信号の大きさを測定する。この大きさは、図示しない処理部によって処
理されて、電波の大きさを視覚的に（すなわち、数値ではなく図形によって）表示部２４
に表示する。電波レベル表示の他に、電波の大きさが所定の大きさよりも大きい場合にス
ピーカ２６から音を発生させたり、バイブレータユニットによって提示装置２を振動させ
たりするようにしてもよい。電波の大きさは、提示装置２と探索対象の杭３との距離と、
アンテナ２３の探索対象の杭３に対する方向と、杭が設置されたままであるか、または土
砂などに埋もれているかなどを示す杭の埋設状態とに関連するため、作業員Ｗは、電波の
大きさを認識することで、自己の位置から探索対象の杭３までの距離、方向および杭の埋
設状態を予測できる。特に、作業員Ｗが、その手に持っている提示装置２を別の方向に向
けたり、前方や後方に歩いてみたりすれば、表示部２４に視覚的に表示された電波の大き
さが変化するので、杭に近づいていくことができる。
【００２４】
具体的には、探索対象の杭のＩＤを入力して探索を開始した作業員Ｗは、まず提示装置
２を水平か下側に向けて持って、つまりアンテナ２３を水平方向または斜め下側方向に向
けた状態で、作業員Ｗ自身が３６０度回転すればよい。このように回転する際に表示部２
４に表示される電波の大きさが最大になる向きをチェックすれば、その回転位置が、アン
テナ２３の方向が探索対象の杭３に向いている位置であると予測できる。このように向き
を特定した作業員Ｗは、次に、アンテナ２３の向きをそのままにして、前方に歩けば、探
索対象の杭３に近づいていくことができる。そして、最終的に、作業員Ｗは杭３の設置場
所まで導かれる。ただし、このように電波の大きさに基づいて歩いても杭３を見つけるこ
とができない場合、杭３は土などに埋もれていることが予測される。その場合、作業員Ｗ
はアンテナ２３を下方に向けて歩き、電波の大きさが最大になった位置の地盤の下側に杭
３が埋もれている可能性が高いため、作業員Ｗはその場所の土を掘り起こせばよい。なお
、杭３が土に埋もれている場合、提示装置２のアンテナが受信する電波の大きさは土に埋
もれていない場合に比べて、小さい。したがって、作業員Ｗが歩き回っても表示部２４に
表示される電波の大きさが通常期待されるレベルまで大きくならない場合も、作業員Ｗは
、杭３が土に埋もれていると予測することができる。
【００２５】
このように、作業員Ｗが提示装置２を動かすことで電波の大きさが大きくなれば探索対
象の杭３に距離がより近づいて、アンテナ２３の方向がその杭の方向により合致すること
になり、逆に電波の大きさが小さくなれば探索対象の杭３から遠ざかり、アンテナ２３の
方向がその杭とは離れた方向になったことになる。したがって、提示装置２の表示部２４
に視覚的に表示された電波の大きさがより大きくなるように、作業員Ｗが手に持っている
提示装置２の向きを変えたり自身が移動したりすれば、探索対象の杭３に近づいていくこ
とができる。
【００２６】
なお、本実施形態における通信装置２２，２３は、その通信モジュールが、電波による
アンテナを介した無線通信用のものであり、杭のＩＤを送受信できるものであれば、特に
限定されない。
【符号の説明】
【００２７】
２  特定の信号要素のレベル提示装置
３  標示杭（標識体）
【図１】
2014041138.tif 000003
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
地盤に一部が埋め込まれて設置された標識体からの信号の特定の信号要素のレベルを提示する装置であって、前記特定の信号要素は電波強度であり、この電波強度は、標識体からの信号を受信する位置における標識体に対する距離および受信する方向の標識体に対する向きに依存するものであり、
当該装置は、中空で人間の掌に納まるサイズの本体を備え、この本体の内側に通信装置を搭載し、この本体の外側に通信用アンテナが取り付けられ、
前記通信装置は、
前記通信用アンテナを介して、標識体に応答を求める信号を発信する発信部、
前記通信用アンテナを介して、標識体からの応答信号を受信する受信部、および
前記受信部で受信した信号の電波強度レベルを継続的に測定する測定部を有し、
前記本体には、前記測定部で測定した電波強度レベルを図形によって表示する表示部が設けられた、特定の信号要素のレベル提示装置。
【請求項２】
請求項１において、前記標識体が標示杭である、特定の信号要素のレベル提示装置。
【請求項３】
請求項１または２において、前記電波強度レベルの提示は、指定された標識体についてのみ行う、特定の信号要素のレベル提示装置。
【請求項４】
標識体を探索するための、請求項１から３のいずれか一項に記載の特定の信号要素のレベル提示装置の使用方法であって、
前記発信部を水平方向に向けた状態で前記装置を３６０度回転させて、電波の大きさが最大になる向きをチェックして、この向きが探索対象の標識体に向いていると予測する、特定の信号要素のレベル提示装置の使用方法。
【請求項５】
請求項４において、さらに、
前記発信部を電波の大きさが最大になる向きのままにして、前記装置を前進させることにより、探索対象の標識体に近づく、特定の信号要素のレベル提示装置の使用方法。
【請求項６】
地盤に一部が埋め込まれて設置された１つ以上の標識体と、１つ以上の標識体のうちの特定の標識体からの信号の特定の信号要素のレベルを提示するレベル提示装置とから構成される、探索可能な標識体のシステムであって、前記特定の信号要素は電波強度であり、この電波強度は、標識体からの信号を受信する位置の標識体に対する距離および受信する方向の標識体に対する向きに依存するものであり、
前記レベル提示装置は、
中空で人間の掌に納まるサイズの本体を備え、この本体の内側に通信装置を搭載し、この本体の外側に通信用アンテナが取り付けられ、
探索対象の標識体の指定を受け付け、
指定された標識体の識別子を含む信号であって、この指定された標識体に応答を求める信号を、前記通信用アンテナを介して、前記通信装置が発信し、
前記１つ以上の標識体は、それぞれ、
前記レベル提示装置からの信号を受信すると、信号に含まれる標識体の識別子がその標識体自体の識別子であるか否か判定して、一致する場合は応答信号を発信し、
前記レベル提示装置は、
標識体からの応答信号を、前記通信用アンテナを介して前記通信装置が受信すると、この信号の電波強度レベルを前記通信装置で継続的に測定して、その電波強度レベルを、前記本体の表示部に図形によって表示する、探索可能な標識体のシステム。